(57)【要約】【課題】本発明は、極めて商品価値の高い画期的な見開き構造体を提供することを目的とする。【解決手段】対向する板体２，２の内側縁部同士を連設して該板体２，２同士が折り畳み重合可能及び展開可能に構成された見開き構造体であって、この見開き構造体には、前記板体２，２同士を折り畳み重合した際には薄板状体となり、且つ、前記板体２，２同士を展開した際には起立状態となる立体３が設けられ、この立体３は前記板体２，２に対して脱着自在に設けられたものである。【選択図】図１
2012158068.tif 000002
【特許請求の範囲】
【請求項１】
対向する板体の内側縁部同士を連設して該板体同士が折り畳み重合可能及び展開可能に構成された見開き構造体であって、この見開き構造体には、前記板体同士を折り畳み重合した際には薄板状体となり、且つ、前記板体同士を展開した際には起立状態となる立体が設けられ、この立体は前記板体に対して脱着自在に設けられていることを特徴とする見開き構造体。
【請求項２】
請求項１記載の見開き構造体において、前記立体は、前記板体夫々の一部を切り抜いた切り抜き体同士を組んで構成されたものであり、前記立体は展開した前記板体同士を折り畳み重合した際、前記切り抜き体を切り抜くことで前記板体に形成される切り抜き部に収納されるものであることを特徴とする見開き構造体。
【請求項３】
請求項１，２いずれか１項に記載の見開き構造体において、前記立体は前記板体に磁性体を介して着脱自在に設けられていることを特徴とする見開き構造体。
【請求項４】
請求項２，３いずれか１項に記載の見開き構造体において、前記板体の下面には該板体の切り抜き部を隠蔽する覆板が設けられていることを特徴とする見開き構造体。
【請求項５】
請求項４記載の見開き構造体において、前記立体には、前記磁性体が設けられ、一方、前記切り抜き部から露出する前記覆板には、前記磁性体に磁着される被磁着体が設けられていることを特徴とする見開き構造体。
【請求項６】
請求項１〜５いずれか１項に記載の見開き構造体において、前記板体の表面には合成樹脂製のコーティング層が設けられていることを特徴とする見開き構造体。
【請求項７】
請求項４〜６いずれか１項に記載の見開き構造体において、前記覆板の表面には合成樹脂製のコーティング層が設けられていることを特徴とする見開き構造体。
【請求項８】
請求項１〜７いずれか１項に記載の見開き構造体を複数有し、この見開き構造体夫々の外側縁部同士を連設して折り畳み重合可能及び展開可能に構成されていることを特徴とする見開き構造体。
【発明の詳細な説明】
【技術分野】
【０００１】
本発明は、例えば対向する板体同士を展開した際に立体が現出する見開き構造体に関するものである。
【背景技術】
【０００２】
従来から、例えば実開平７−２７６９９号に開示されるような対向する板体同士を展開した際に立体が起立する見開き構造体（以下、従来例）が提案されている。
【０００３】
この従来例は、当該立体を鑑賞するものとして芸術品と言えることは勿論、当該立体を学ぶのに適するため、教材としても極めて有用である。
【先行技術文献】
【特許文献】
【０００４】
【特許文献１】実開平７−２７６９９号公報
【発明の概要】
【発明が解決しようとする課題】
【０００５】
本発明者等は、前述したような対向する板体同士から立体が起立する見開き構造体に着目し、極めて商品価値の高い画期的な見開き構造体を開発した。
【課題を解決するための手段】
【０００６】
添付図面を参照して本発明の要旨を説明する。
【０００７】
対向する板体２，２の内側縁部同士を連設して該板体２，２同士が折り畳み重合可能及び展開可能に構成された見開き構造体であって、この見開き構造体には、前記板体２，２同士を折り畳み重合した際には薄板状体となり、且つ、前記板体２，２同士を展開した際には起立状態となる立体３が設けられ、この立体３は前記板体２，２に対して脱着自在に設けられていることを特徴とする見開き構造体に係るものである。
【０００８】
また、請求項１記載の見開き構造体において、前記立体３は、前記板体２，２夫々の一部を切り抜いた切り抜き体３Ａ，３Ａ同士を組んで構成されたものであり、前記立体３は展開した前記板体２，２同士を折り畳み重合した際、前記切り抜き体３Ａ，３Ａを切り抜くことで前記板体２，２に形成される切り抜き部２ａ，２ａに収納されるものであることを特徴とする見開き構造体に係るものである。
【０００９】
また、請求項１，２いずれか１項に記載の見開き構造体において、前記立体３は前記板体２，２に磁性体４を介して着脱自在に設けられていることを特徴とする見開き構造体に係るものである。
【００１０】
また、請求項２，３いずれか１項に記載の見開き構造体において、前記板体２，２の下面には該板体２，２の切り抜き部２ａ，２ａを隠蔽する覆板５，５が設けられていることを特徴とする見開き構造体に係るものである。
【００１１】
また、請求項４記載の見開き構造体において、前記立体３には、前記磁性体４が設けられ、一方、前記切り抜き部２ａ，２ａから露出する前記覆板５，５には、前記磁性体４に磁着される被磁着体６が設けられていることを特徴とする見開き構造体に係るものである。
【００１２】
また、請求項１〜５いずれか１項に記載の見開き構造体において、前記板体２，２の表面には合成樹脂製のコーティング層７が設けられていることを特徴とする見開き構造体に係るものである。
【００１３】
また、請求項４〜６いずれか１項に記載の見開き構造体において、前記覆板５，５の表面には合成樹脂製のコーティング層８が設けられていることを特徴とする見開き構造体に係るものである。
【００１４】
また、請求項１〜７いずれか１項に記載の見開き構造体を複数有し、この見開き構造体夫々の外側縁部同士を連設して折り畳み重合可能及び展開可能に構成されていることを特徴とする見開き構造体に係るものである。
【発明の効果】
【００１５】
本発明は上述のように構成したから、対向する板体同士を展開した際に起立状態となる立体を鑑賞できるのは勿論、この起立状態となった立体を板体から取り外して手に持ち、この立体を全方向から鑑賞したり体感したりでき、従来にない感覚で立体に接することができ、例えば教材として最適であるなど極めて商品価値の高い画期的な見開き構造体となる。
【図面の簡単な説明】
【００１６】
【図１】実施例１を示す斜視図である。
【図２】実施例１の動作説明図である。
【図３】実施例１の動作説明図である。
【図４】実施例１の製造方法を示す斜視図である。
【図５】実施例１に係る要部の説明図である。
【図６】実施例１に係る要部を説明する斜視図である。
【図７】実施例１に係る要部を説明する断面図である。
【図８】実施例１に係る要部を説明する断面図である。
【図９】実施例１の使用状態説明図である。
【図１０】実施例２の動作説明図である。
【図１１】実施例２に係る要部の概略動作説明図である。
【図１２】実施例２の別例に係る要部の概略動作説明図である。
【発明を実施するための形態】
【００１７】
好適と考える本発明の実施形態を、図面に基づいて本発明の作用を示して簡単に説明する。
【００１８】
対向する板体２，２同士を展開した際、この板体２，２に立体３が起立状態となる。
【００１９】
具体的には、例えば対向する板体２，２同士をカードや本のように展開すると、板体２，２に立体３が起立状態となり、この立体３を鑑賞できる。
【００２０】
また、立体３は板体２，２に対して脱着自在に設けられており、板体２，２同士を展開した際、この板体２，２から立体３を取り外して手に持ち、この立体３を間近で全方向から鑑賞したり体感することができる。
【００２１】
従って、従来にない感覚で立体３に接することができ、例えば教材として最適なものとなる。
【００２２】
また、この展開した板体２，２同士を折り畳み重合した際には立体３は薄板状体となる。
【００２３】
従って、この立体３を使用しない場合には薄型コンパクトな状態とすることができるから、例えば持ち運びや保管等が良好に行えることになる。
【実施例１】
【００２４】
本発明の具体的な実施例１について図１〜９に基づいて説明する。
【００２５】
本実施例は、図１〜３に図示したように対向する板体２，２の内側縁部同士を連設して該板体２，２同士が折り畳み重合可能及び展開可能に構成された見開き構造体であって、この見開き構造体には、前記板体２，２同士を折り畳み重合した際には薄板状体となり、且つ、前記板体２，２同士を展開した際には起立状態となる立体３が設けられ、この立体３は前記板体２，２に対して脱着自在に設けられたカードタイプの見開き構造体Ｋである。
【００２６】
本実施例では、板体２，２及び後述する覆板５をいずれも紙製としており、図４に図示したように方形状（長方形状）に形成している。
【００２７】
また、この板体２，２及び覆板５夫々の外側となる表面には、適宜な柔軟性を有する合成樹脂製部材での加工（例えばポリプロピレン加工）が施されてコーティング層７，８が形成されている。
【００２８】
従って、このコーティング層７，８により水分で濡れたりしても破損せず、度重なる使用にも耐え得るなど極めて耐久性に秀れることになり、例えば立体３を強く触ることで該立体３を理解する幼児や視覚障害者などの使用にも十分耐え得る強度を具備することになる。
【００２９】
また、この板体２，２夫々の表面に形成されるコーティング層７は、対向する板体２，２同士の連設部となる（図５参照）。
【００３０】
尚、板体２，２及び覆板５は、紙製に限らず、薄く且つ曲げに強い素材であれば適宜採用し得るものである。
【００３１】
また、この対向する板体２，２同士間には該板体２，２同士を展開した際に起立状態となる立体３が設けられている。
【００３２】
この立体３は、図４，６に図示したように板体２，２夫々の一部を切り抜いた切り抜き体３Ａ，３Ａ同士を組んで六角柱となるように構成されたものである。
【００３３】
各切り抜き体３Ａ，３Ａは、底壁部３ａと、該底壁部３ａに折り畳み部３ｄを介して連設する周壁部３ｂと、該周壁部３ｂに折り畳み部３ｄを介して連設する天壁部３ｃとから成り、立体３として組む際には、互いに周壁部３ｂ同士及び天壁部３ｃ同士の隣接する端部同士を止着部材９（両面テープ）を介して折り畳み自在に連設している。
【００３４】
また、周壁部３ｂには左右長さ方向に折り曲げ部３ｄが設けられている。
【００３５】
本実施例では、切り抜き体３Ａ，３Ａ同士は一体（底壁部３ａ同士が板体２，２の連設部を境界に一体）に設けられた構成であり、この底壁部３ａ同士は折り畳み部３ｄを介して連設されている。
【００３６】
従って、立体３は各折り畳み部３ｄを折り畳むことで中空立体状態から扁平の折り畳み重合状態となるように構成されている。
【００３７】
尚、立体３は、別体の切り抜き体３Ａ，３Ａ同士を連設して構成しても良いなど本実施例の特性を発揮する構成であれば適宜採用し得るものである。
【００３８】
また、立体３は、底壁部３ａの内面に磁性体４が設けられている。
【００３９】
この磁性体４は、シート状の磁石であり、後述する覆板５，５に設けられる金属薄板状の被磁着体６に磁着するためのものである。
【００４０】
従って、立体３は、板体２，２に対して磁性体４を介して着脱自在となり、また、この底壁部３ａの磁性体４が覆板５，５の被磁着体６に磁着していることで、板体２，２の開き作用に連動して起立するとともに扁平の折り畳み重合状態から中空立体状態となる（図７，８参照）。
【００４１】
尚、覆板５，５に磁性体４を設け、この磁性体４が磁着する被磁着体６を立体３（底壁部３ａの内面）に設けても良く、この板体２，２に対する立体３の着脱構造を磁着構造に限らず、例えばループ部とフック部とから成る雌雄連結構造（面ファスナー）で構成しても良い。
【００４２】
また、立体３は、一方の切り抜き体３Ａを構成する天壁部３ｃと周壁部３ｂとの間に付勢体10（線状ゴム部材）が架設されており、周壁部３ｂに対して天壁部３ｃが直角折り曲げ状態になるように常時付勢している。
【００４３】
従って、立体３を扁平の折り畳み重合状態から中空立体状態とした際、天壁部３ｃ，３ｃは内方に付勢され該天壁部３ｃ，３ｃの連設部（折り畳み連設部）が上方に折れ曲がった浮いた状態とならず、綺麗な立体３が得られることになる。
【００４４】
また、立体３は、展開した板体２，２同士を閉じることに連動して扁平の折り畳み重合状態となり、立体３を切り抜くことで板体２，２に形成される切り抜き部２ａ，２ａに収納される。
【００４５】
従って、立体３は極めて薄い状態で板体２，２に収納されることになり、この点においても、この立体３を使用しない場合には薄型コンパクトな状態とすることができるから、例えば持ち運びや保管等が良好に行えることになる。
【００４６】
尚、立体３は六角柱（柱状体）に限らず六角錐（錐状体）でも良いなど、本実施例の特性を発揮する構成であれば適宜採用し得るものである。
【００４７】
また、一方の板体２の表面にして切り抜き部２ａの近傍部位には視覚障害者用の点字部11が設けられている。
【００４８】
この点字部11は、レーザーにより板体２の所定位置を刻設したものであり、平面視方形状の凹部内に、立体３の名称や説明書きを示す点字突起を設けて構成されている。
【００４９】
また、板体２，２の下面（裏面）には、立体３が切り抜かれた該板体２，２の切り抜き部２ａ，２ａを隠蔽する覆板５，５が貼着されている。
【００５０】
この覆板５，５は、方形状（長方形状）にして板体２，２一枚分の面積のものであり、板体２，２の下面に貼着材12を介して貼着されている（図５参照）。
【００５１】
また、板体５，５の所定位置にして切り抜き部２ａ，２ａから露出する位置には被磁着体６が設けられている。
【００５２】
この被磁着体６は、適宜な金属製の薄板であり、粘着剤を介して設けられている。
【００５３】
尚、この被磁着体６は板体５，５の内部に埋設された構成でも良く、板体５，５自体を被磁着性を有する素材で形成しても良い。
【００５４】
以上の構成から、本実施例は、板体２，２同士を展開した際、この板体２，２の立体３が起立状態となり、この立体３は板体２，２に対して着脱することができる。
【００５５】
以下、本実施例の製造方法について説明する。
【００５６】
先ず、レーザー光を照射するレーザー照射装置（図示省略）に立体３の設計図（展開図）を入力する。尚、立体３の設計図は、板体２，２同士を１８０°展開した際には立体３が形成されるように、且つ、板体２，２同士を折り畳み重合した際には該立体３が切り抜き部２ａ，２ａに収納され得るように設定する。
【００５７】
続いて、この設計図に基づいてレーザー照射装置から照射されるレーザー光により、立体３の切り抜き、切り抜き部２ａ，２ａの形成及び点字部11の形成を行う。
【００５８】
尚、本実施例では、レーザー照射装置から所定巾のレーザー光を照射することで前述した切り抜き作業や点字部11を形成する作業を行う構成であるが、例えば巾広のレーザー光を照射して型（マスク）を通過させることでレーザー光を所定巾（型に形成したスリット巾）とすることで、前述した切り抜き作業を行うようにしても良く、この場合より一層の量産性の向上が望める。
【００５９】
続いて、レーザー光の照射により切り抜かれた立体原型を、各折り曲げ部３ｄを折り曲げたり、周壁部３ｂの端部同士及び天壁部３ｃの端部同士を止着部材９で止着したりして立体３を組み立てる。
【００６０】
続いて、立体３を設けた板体２，２同士を連設して折り畳み重合可能及び展開可能に設ける。
【００６１】
本実施例は上述のように構成したから、対向する板体２，２同士をカードや本のように展開すると、板体２，２に立体３が起立状態となり、この立体３を鑑賞でき、また、立体３は板体２，２に対して脱着自在に設けられており、板体２，２同士を展開した際、板体２，２から立体３を取り外して手に持ち、この立体３を間近で全方向から鑑賞したり体感することができ、よって、従来にない感覚で立体３に接することができ、例えば教材として最適なものとなる。図９は被磁着体６としての黒板17に立体３を磁着させて教材として使用している場合である。
【００６２】
また、この展開した板体２，２同士を折り畳み重合した際にはこの板体２，２同士間で立体３は薄板状体となる。
【００６３】
また、本実施例は、立体３は板体２，２に対して磁性体４を介して着脱自在に設けられているから、板体２，２に対する立体３の脱着が簡易且つ迅速に行え、しかも、簡易構造故にコスト安にして量産性に秀れることになる。
【００６４】
また、本実施例は、立体３は、板体２，２夫々の一部を切り抜いた切り抜き体３Ａ，３Ａ同士を組んで構成されたものであり、立体３は展開した板体２，２同士を折り畳み重合状態とした際、切り抜き体３Ａ，３Ａを切り抜くことで板体２，２に形成される切り抜き部２ａ，２ａに収納されるものであるから、閉じた際にかさ張ったり立体部分のみが厚くなったりせず、また、製造が簡単で量産が容易となり、しかも、立体３は板体２，２を切り抜いた部位であるから、製造時にゴミの発生を可及的に低減することができることになる。
【００６５】
また、本実施例は、板体２，２の下面には該板体２，２の切り抜き部２ａ，２ａを隠蔽する覆板５，５が設けられているから、切り抜き部２ａ，２ａが気にならず体裁が良く、しかも、板体２，２の強度を向上することができる。
【００６６】
また、本実施例は、板体２，２及び覆板５，５の表面には合成樹脂製のコーティング層７，８が形成されているから、極めて耐久性に秀れることになる。
【実施例２】
【００６７】
本発明の具体的な実施例２について図10〜12に基づいて説明する。
【００６８】
本実施例は、図10に図示したように見開き構造体１を複数有し、この見開き構造体１夫々の外側縁部同士を連設して折り畳み重合可能及び展開可能に構成され、この見開き構造体１夫々には該見開き構造体１（板体２，２同士）を展開した際に起立状態となる立体３が設けられ、この立体３は見開き構造体１に対して脱着自在に設けられたブックタイプの見開き構造体Ｂである。即ち、前述した実施例１のカードタイプの見開き構造体Ｋとしての見開き構造体１を複数連設して見開き構造体Ｂを設けている。
【００６９】
尚、図示していないが本実施例に係る見開き構造体Ｂはケース体に収納される。
【００７０】
本実施例に係る見開き構造体Ｂは、複数の見開き構造体１同士を蛇行状態となるよう展開可能に連設して構成されている。
【００７１】
具体的には、見開き構造体Ｂは、複数の見開き構造体１同士を所定方向に展開可能に連設して成る第一展開部13、複数の見開き構造体１同士を所定方向に展開可能に連設して成り、第一展開部13と折り返し部14を介して連設されて該第一展開部13と並設される第二展開部15、・・・、及び、複数の見開き構造体１同士を所定方向に展開可能に連設して成り、第ｎ−１展開部と折り返し部14を介して連設されて該第ｎ−１展開部と並設される第ｎ展開部（ｎは２以上の自然数）を有する。
【００７２】
図11は第二展開部15まで設けた場合であり、図12は第二展開部15と折り返し部14を介して連設されて該第二展開部15と並設される第三連設部16まで設けた場合である。
【００７３】
この各展開部同士を連設する折り返し部14は、各展開部の端部に位置する見開き構造体１の板体２，２夫々の裏面に該板体２，２二枚分の面積の覆板５を貼着して構成されている。
【００７４】
以上の構成から、本実施例は、見開き構造体１同士を展開した際、見開き構造体１夫々の立体３が同一平面上に並設される。
【００７５】
本実施例は上述のように構成したから、見開き構造体１同士を順に開くことで各見開き構造体１に起立状態となる立体３を個別に鑑賞できるのは勿論、見開き構造体１同士を展開した際に並設される各見開き構造体１の立体３同士を同時に鑑賞したり比較したりでき（一覧化することができ）、また、各立体３は見開き構造体１夫々に対して脱着自在に設けられており、各見開き構造体１を展開した際、各見開き構造体１から立体３を取り外して手に持ち、この立体３を間近で全方向から鑑賞したり体感することができるなど、従来にない感覚で立体３に接することができ、例えば教材として最適である。
【００７６】
また、本実施例は、複数の見開き構造体１同士を所定方向に展開可能に連設して成る第一展開部13、複数の見開き構造体１同士を所定方向に展開可能に連設して成り、第一展開部13と折り返し部14を介して連設されて該第一展開部13と並設される第二展開部15、・・・、及び、複数の見開き構造体１同士を所定方向に展開可能に連設して成り、第ｎ−１展開部と折り返し部14を介して連設されて該第ｎ−１展開部と並設される第ｎ展開部（ｎは２以上の自然数）を有するから、例えば机の上などの小さなスペースでも複数の立体３を同一平面上に良好に並設することができ、この点においても教材として秀れたものとなる。
【００７７】
その余は実施例１と同様である。
【００７８】
尚、本発明は、実施例１，２に限られるものではなく、各構成要件の具体的構成は適宜設計し得るものである。
【符号の説明】
【００７９】
２  板体
３  立体
３Ａ  切り抜き体
３Ｂ  切り抜き体
４  磁性体
５  覆板
６  被磁着体
７  コーティング層
８  コーティング層
【図１】
2012158068.tif 000003
【図２】
2012158068.tif 000004
【図３】
2012158068.tif 000005
【図４】
2012158068.tif 000006
【図５】
2012158068.tif 000007
【図６】
2012158068.tif 000008
【図７】
2012158068.tif 000009
【図８】
2012158068.tif 000010
【図９】
2012158068.tif 000011
【図１０】
2012158068.tif 000012
【図１１】
2012158068.tif 000013
【図１２】
2012158068.tif 000014